(57)【要約】      （修正有）【課題】ユーザがＷｉ−Ｆｉ認証情報を記憶又は記録する必要がなく、ユーザエクスペリエンスを改善する、Ｗｉ−Ｆｉホットスポットデバイスに接続するための方法、Ｗｉ−Ｆｉホットスポットデバイス、及びユーザ機器を提供する。【解決手段】Ｗｉ−Ｆｉホットスポットデバイスは、Ｗｉ−Ｆｉ認証情報を含む２次元バーコードを生成し、Ｗｉ−Ｆｉホットスポットデバイスの表示画面を用いることによって、ＵＥに２次元バーコードを提示する。これにより、ＵＥは、２次元バーコードに従って、Ｗｉ−Ｆｉホットスポットデバイスに接続する。【選択図】図１
2018067938.tif 000002
【特許請求の範囲】
【請求項１】
ワイヤレスフィディリティＷｉ−Ｆｉホットスポットデバイスに接続するための方法であって、
Ｗｉ−Ｆｉホットスポットデバイスにより、Ｗｉ−Ｆｉ認証情報に従って、２次元バーコードを生成する段階であって、前記２次元バーコードは、前記Ｗｉ−Ｆｉ認証情報を含み、前記Ｗｉ−Ｆｉ認証情報は、前記Ｗｉ−Ｆｉホットスポットデバイスに接続する前に、認証用に用いられる、生成する段階と、
前記Ｗｉ−Ｆｉホットスポットデバイスにより、前記Ｗｉ−Ｆｉホットスポットデバイスの表示画面を用いることによって、ユーザ機器ＵＥに前記２次元バーコードを提示する段階と、
を備える、
方法。
【請求項２】
前記方法は、前記Ｗｉ−Ｆｉホットスポットデバイスにより、前記Ｗｉ−Ｆｉ認証情報を動的に更新する段階をさらに備え、
Ｗｉ−Ｆｉホットスポットデバイスにより、Ｗｉ−Ｆｉ認証情報に従って、２次元バーコードを生成する前記段階は、
前記Ｗｉ−Ｆｉホットスポットデバイスにより、動的に更新されたＷｉ−Ｆｉ認証情報に従って、２次元バーコードを動的に生成する段階を有する、
請求項１に記載の方法。
【請求項３】
前記Ｗｉ−Ｆｉ認証情報は、以下の複数の項目、すなわち、サービスセット識別子ＳＳＩＤ、認証モード、及び認証パスワードのうち少なくとも１つを含む、
請求項１又は２に記載の方法。
【請求項４】
ワイヤレスフィディリティＷｉ−Ｆｉホットスポットデバイスに接続するための方法であって、
Ｗｉ−Ｆｉホットスポットデバイスにより、Ｗｉ−Ｆｉ認証情報に従って２次元バーコードを生成する段階であって、前記２次元バーコードは、前記Ｗｉ−Ｆｉ認証情報を含み、前記Ｗｉ−Ｆｉ認証情報は、前記Ｗｉ−Ｆｉホットスポットデバイスに接続する前に、認証用に用いられる、生成する段階と、
前記Ｗｉ−Ｆｉホットスポットデバイスにより、前記Ｗｉ−Ｆｉホットスポットデバイスに対応する管理アプリケーションプログラムに前記２次元バーコードを設定する段階であって、前記管理アプリケーションプログラムは、別のユーザ機器ＵＥに前記２次元バーコードを提供するのに用いられ、前記別のＵＥは、前記別のＵＥの表示画面を用いることによって、前記Ｗｉ−Ｆｉホットスポットデバイスに接続する必要があるＵＥに前記２次元バーコードを提示するのに用いられる、設定する段階と、
を備える、
方法。
【請求項５】
前記管理アプリケーションプログラムは、前記別のＵＥで動作する、
請求項４に記載の方法。
【請求項６】
前記方法は、前記Ｗｉ−Ｆｉホットスポットデバイスにより、前記Ｗｉ−Ｆｉ認証情報を動的に更新する段階をさらに備え、
Ｗｉ−Ｆｉホットスポットデバイスにより、Ｗｉ−Ｆｉ認証情報に従って、２次元バーコードを生成する前記段階は、
前記Ｗｉ−Ｆｉホットスポットデバイスにより、動的に更新されたＷｉ−Ｆｉ認証情報に従って、２次元バーコードを動的に生成する段階を有する、
請求項４又は５に記載の方法。
【請求項７】
前記Ｗｉ−Ｆｉ認証情報は、以下の複数の項目、すなわち、サービスセット識別子ＳＳＩＤ、認証モード、及び認証パスワードのうち少なくとも１つを含む、
請求項４から６の何れか一項に記載の方法。
【請求項８】
ワイヤレスフィディリティＷｉ−Ｆｉホットスポットデバイスに接続するための方法であって、
ユーザ機器ＵＥにより、２次元バーコードに含まれるＷｉ−Ｆｉ認証情報を抽出する段階と、
前記ＵＥにより、前記Ｗｉ−Ｆｉ認証情報に従って、Ｗｉ−Ｆｉホットスポットデバイスとの認証を完了し、前記Ｗｉ−Ｆｉホットスポットデバイスに接続する段階と、
を備える、
方法。
【請求項９】
前記２次元バーコードは、前記Ｗｉ−Ｆｉホットスポットデバイスによって生成される、
請求項８に記載の方法。
【請求項１０】
前記２次元バーコードは、前記Ｗｉ−Ｆｉホットスポットデバイスに対応する管理デバイスによって生成される、
請求項８に記載の方法。
【請求項１１】
ＵＥにより、２次元バーコードに含まれるＷｉ−Ｆｉ認証情報を抽出する前記段階は、
前記ＵＥにより、前記Ｗｉ−Ｆｉホットスポットデバイスの表示画面に提示される２次元バーコードをスキャンして、前記２次元バーコードに含まれるＷｉ−Ｆｉ認証情報を抽出する段階を有する、
請求項８から１０の何れか一項に記載の方法。
【請求項１２】
ＵＥにより、２次元バーコードに含まれるＷｉ−Ｆｉ認証情報を抽出する前記段階は、
前記ＵＥにより、別のＵＥの表示画面に提示される２次元バーコードをスキャンして、前記２次元バーコードに含まれるＷｉ−Ｆｉ認証情報を抽出する段階を有し、
前記２次元バーコードは、前記別のＵＥにより、前記Ｗｉ−Ｆｉホットスポットデバイスに対応する管理アプリケーションプログラムから取得される、
請求項８から１０の何れか一項に記載の方法。
【請求項１３】
前記管理アプリケーションプログラムは、前記別のＵＥで動作する、
請求項１２に記載の方法。
【請求項１４】
前記Ｗｉ−Ｆｉホットスポットデバイスに接続する前記段階の前に、
前記ＵＥにより、前記ＵＥのＷｉ−Ｆｉ機能がイネーブルか否かを調べる段階と、
前記Ｗｉ−Ｆｉ機能がイネーブルでない場合に、前記ＵＥにより、前記Ｗｉ−Ｆｉ機能をイネーブルにする段階と、
をさらに備える、
請求項８から１３の何れか一項に記載の方法。
【請求項１５】
前記Ｗｉ−Ｆｉ認証情報は、以下の複数の項目、すなわち、サービスセット識別子ＳＳＩＤ、認証モード、及び認証パスワードのうち少なくとも１つを含む、
請求項８から１４の何れか一項に記載の方法。
【請求項１６】
ワイヤレスフィディリティＷｉ−Ｆｉホットスポットデバイスであって、
Ｗｉ−Ｆｉ認証情報に従って、２次元バーコードを生成するよう構成された生成ユニットであって、前記２次元バーコードは前記Ｗｉ−Ｆｉ認証情報を含み、前記Ｗｉ−Ｆｉ認証情報は、前記Ｗｉ−Ｆｉホットスポットデバイスに接続する前に、認証用に用いられる、生成ユニットと、
前記Ｗｉ−Ｆｉホットスポットデバイスの表示画面を用いることによって、ユーザ機器ＵＥに前記２次元バーコードを提示するよう構成された提示ユニットと、
を備える、
Ｗｉ−Ｆｉホットスポットデバイス。
【請求項１７】
更新ユニットをさらに備え、
前記更新ユニットは、前記Ｗｉ−Ｆｉ認証情報を動的に更新するよう構成され、
前記生成ユニットは、動的に更新されたＷｉ−Ｆｉ認証情報に従って、２次元バーコードを動的に生成するよう特に構成される、
請求項１６に記載のＷｉ−Ｆｉホットスポットデバイス。
【請求項１８】
前記Ｗｉ−Ｆｉ認証情報は、以下の複数の項目、すなわち、サービスセット識別子ＳＳＩＤ、認証モード、及び認証パスワードのうち少なくとも１つを含む、
請求項１６又は１７に記載のＷｉ−Ｆｉホットスポットデバイス。
【請求項１９】
ワイヤレスフィディリティＷｉ−Ｆｉホットスポットデバイスであって、
Ｗｉ−Ｆｉ認証情報に従って、２次元バーコードを生成するよう構成された生成ユニットであって、前記２次元バーコードは前記Ｗｉ−Ｆｉ認証情報を含み、前記Ｗｉ−Ｆｉ認証情報は、前記Ｗｉ−Ｆｉホットスポットデバイスに接続する前に、認証用に用いられる、生成ユニットと、
前記Ｗｉ−Ｆｉホットスポットデバイスに対応する管理アプリケーションプログラムに、前記２次元バーコードを設定するよう構成された設定ユニットであって、前記管理アプリケーションプログラムは、別のユーザ機器ＵＥに前記２次元バーコードを提供するのに用いられ、前記別のＵＥは、前記別のＵＥの表示画面を用いることによって、前記Ｗｉ−Ｆｉホットスポットデバイスに接続する必要があるＵＥに前記２次元バーコードを提示するのに用いられる、設定ユニットと、
を備える、
Ｗｉ−Ｆｉホットスポットデバイス。
【請求項２０】
前記管理アプリケーションプログラムは、前記別のＵＥで動作する、
請求項１９に記載のＷｉ−Ｆｉホットスポットデバイス。
【請求項２１】
更新ユニットをさらに備え、
前記更新ユニットは、前記Ｗｉ−Ｆｉ認証情報を動的に更新するよう構成され、
前記生成ユニットは、動的に更新されたＷｉ−Ｆｉ認証情報に従って、２次元バーコードを動的に生成するよう特に構成される、
請求項１９又は２０に記載のＷｉ−Ｆｉホットスポットデバイス。
【請求項２２】
前記Ｗｉ−Ｆｉ認証情報は、以下の複数の項目、すなわち、サービスセット識別子ＳＳＩＤ、認証モード、及び認証パスワードのうち少なくとも１つを含む、
請求項１９から２１の何れか一項に記載のＷｉ−Ｆｉホットスポットデバイス。
【請求項２３】
２次元バーコードに含まれるＷｉ−Ｆｉ認証情報を抽出するよう構成された抽出ユニットと、
前記Ｗｉ−Ｆｉ認証情報に従って、Ｗｉ−Ｆｉホットスポットデバイスとの認証を完了し、前記Ｗｉ−Ｆｉホットスポットデバイスに接続するよう構成された接続ユニットと、
を備える、
ユーザ機器。
【請求項２４】
前記２次元バーコードは、前記Ｗｉ−Ｆｉホットスポットデバイスによって生成される、又は前記２次元バーコードは、前記Ｗｉ−Ｆｉホットスポットデバイスに対応する管理デバイスによって生成される、
請求項２３に記載のユーザ機器。
【請求項２５】
前記抽出ユニットは、前記Ｗｉ−Ｆｉホットスポットデバイスの表示画面に提示される２次元バーコードをスキャンして、前記２次元バーコードに含まれるＷｉ−Ｆｉ認証情報を抽出するよう特に構成される、
請求項２３又は２４に記載のユーザ機器。
【請求項２６】
前記抽出ユニットは、別のユーザ機器ＵＥの表示画面に提示される２次元バーコードをスキャンして、前記２次元バーコードに含まれるＷｉ−Ｆｉ認証情報を抽出するよう特に構成され、
前記２次元バーコードは、前記別のＵＥにより、前記Ｗｉ−Ｆｉホットスポットデバイスに対応する管理アプリケーションプログラムから取得される、
請求項２３又は２４に記載のユーザ機器。
【請求項２７】
前記管理アプリケーションプログラムは、前記別のＵＥで動作する、
請求項２６に記載のユーザ機器。
【請求項２８】
前記接続ユニットは、前記Ｗｉ−Ｆｉホットスポットデバイスに接続する前に、前記ユーザ機器のＷｉ−Ｆｉ機能がイネーブルか否かを調べ、前記Ｗｉ−Ｆｉ機能がイネーブルでない場合に、前記Ｗｉ−Ｆｉ機能をイネーブルにするようさらに構成される、
請求項２３から２７の何れか一項に記載のユーザ機器。
【発明の詳細な説明】
【技術分野】
【０００１】
本発明は通信の分野に関し、具体的には、ワイヤレスフィディリティ（Ｗｉｒｅｌｅｓｓ  Ｆｉｄｅｌｉｔｙ、Ｗｉ−Ｆｉ）ホットスポットデバイスに接続するための方法、Ｗｉ−Ｆｉホットスポットデバイス、及びユーザ機器（Ｕｓｅｒ  Ｅｑｕｉｐｍｅｎｔ、ＵＥ）に関する。
【背景技術】
【０００２】
現在、インターネットに接続すべく、Ｗｉ−Ｆｉホットスポットデバイスに接続し、Ｗｉ−Ｆｉホットスポットデバイスを用いるＵＥは、非常に成熟した技術である。ユーザがＵＥを用いてＷｉ−Ｆｉホットスポットデバイスに接続する場合に、ユーザは、ＵＥによって現在見つけられる複数のホットスポットデバイスから、特定のＷｉ−Ｆｉホットスポットデバイスを選択し、次に認証モード又は認証パスワードなどの対応する認証情報をＵＥに入力する必要があり、そしてＵＥは、対応する認証情報を用いることによって認証された後にのみ、Ｗｉ−Ｆｉホットスポットデバイスに接続し得る。そのような接続態様において、ユーザは、いくつかの操作を実行する必要があり、これが、不都合をもたらし、ユーザエクスペリエンスを阻害する。
【発明の概要】
【０００３】
本発明の複数の実施形態は、Ｗｉ−Ｆｉホットスポットデバイスに接続するための方法、Ｗｉ−Ｆｉホットスポットデバイス、及びユーザ機器を提供し、これによりユーザエクスペリエンスが改善され得る。
【０００４】
第１態様に従って、Ｗｉ−Ｆｉホットスポットデバイスに接続するための方法が提供される。方法は、Ｗｉ−Ｆｉホットスポットデバイスにより、Ｗｉ−Ｆｉ認証情報に従って２次元バーコードを生成する段階であって、２次元バーコードはＷｉ−Ｆｉ認証情報を含み、Ｗｉ−Ｆｉ認証情報は、Ｗｉ−Ｆｉホットスポットデバイスに接続する前に、認証用に用いられる、生成する段階と、Ｗｉ−Ｆｉホットスポットデバイスにより、Ｗｉ−Ｆｉホットスポットデバイスの表示画面を用いることによってユーザ機器ＵＥに２次元バーコードを提示する段階とを含む。
【０００５】
第１態様に関し、第１の可能な実施例において、方法は、Ｗｉ−Ｆｉホットスポットデバイスにより、Ｗｉ−Ｆｉ認証情報を動的に更新する段階をさらに含み、Ｗｉ−Ｆｉホットスポットデバイスにより、Ｗｉ−Ｆｉ認証情報に従って２次元バーコードを生成する段階は、Ｗｉ−Ｆｉホットスポットデバイスにより、動的に更新されたＷｉ−Ｆｉ認証情報に従って、２次元バーコードを動的に生成する段階を含む。
【０００６】
第１態様又は第１態様の第１の可能な実施例に関し、第２の可能な実施例において、Ｗｉ−Ｆｉ認証情報は、以下の複数の項目、すなわち、サービスセット識別子ＳＳＩＤ、認証モード、及び認証パスワードのうち少なくとも１つを含む。
【０００７】
第２態様に従って、ワイヤレスフィディリティＷｉ−Ｆｉホットスポットデバイスに接続するための方法が提供される。方法は、Ｗｉ−Ｆｉホットスポットデバイスにより、Ｗｉ−Ｆｉ認証情報に従って２次元バーコードを生成する段階であって、２次元バーコードはＷｉ−Ｆｉ認証情報を含み、Ｗｉ−Ｆｉ認証情報は、Ｗｉ−Ｆｉホットスポットデバイスに接続する前に、認証用に用いられる、生成する段階と、Ｗｉ−Ｆｉホットスポットデバイスにより、Ｗｉ−Ｆｉホットスポットデバイスに対応する管理アプリケーションプログラムに２次元バーコードを設定する段階であって、管理アプリケーションプログラムは、別のユーザ機器ＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる、設定する段階とを含む。
【０００８】
第２態様に関し、第１の可能な実施例において、管理アプリケーションプログラムは、別のＵＥで動作する。
【０００９】
第２態様又は第２態様の第１の可能な実施例に関し、第２の可能な実施例において、方法は、Ｗｉ−Ｆｉホットスポットデバイスにより、Ｗｉ−Ｆｉ認証情報を動的に更新する段階をさらに含む。Ｗｉ−Ｆｉホットスポットデバイスにより、Ｗｉ−Ｆｉ認証情報に従って２次元バーコードを生成する段階は、Ｗｉ−Ｆｉホットスポットデバイスにより、動的に更新されたＷｉ−Ｆｉ認証情報に従って２次元バーコードを動的に生成する段階を含む。
【００１０】
第２態様、又は、第２態様の第１の可能な実施例又は第２の可能な実施例に関し、第３の可能な実施例において、Ｗｉ−Ｆｉ認証情報は、以下の複数の項目、すなわち、サービスセット識別子ＳＳＩＤ、認証モード、及び認証パスワードのうち少なくとも１つを含む。
【００１１】
第３態様に従って、Ｗｉ−Ｆｉホットスポットデバイスに接続するための方法が提供される。方法は、ユーザ機器ＵＥにより、２次元バーコードに含まれるＷｉ−Ｆｉ認証情報を抽出する段階と、ＵＥにより、Ｗｉ−Ｆｉ認証情報に従ってＷｉ−Ｆｉホットスポットデバイスとの認証を完了し、Ｗｉ−Ｆｉホットスポットデバイスに接続する段階とを含む。
【００１２】
第３態様に関し、第１の可能な実施例において、２次元バーコードは、Ｗｉ−Ｆｉホットスポットデバイスによって生成される。
【００１３】
第３態様に関し、第２の可能な実施例において、２次元バーコードは、Ｗｉ−Ｆｉホットスポットデバイスに対応する管理デバイスによって生成される。
【００１４】
第３態様、又は、第３態様の第１の可能な実施例又は第２の可能な実施例に関し、第３の可能な実施例において、ＵＥにより、２次元バーコードに含まれるＷｉ−Ｆｉ認証情報を抽出する段階は、ＵＥにより、Ｗｉ−Ｆｉホットスポットデバイスの表示画面に提示される２次元バーコードをスキャンして、２次元バーコードに含まれるＷｉ−Ｆｉ認証情報を抽出する段階を含む。
【００１５】
第３態様、又は、第３態様の第１の可能な実施例又は第２の可能な実施例に関し、第４の可能な実施例において、ＵＥにより、２次元バーコードに含まれるＷｉ−Ｆｉ認証情報を抽出する段階は、ＵＥにより、別のＵＥの表示画面に提示される２次元バーコードをスキャンして、２次元バーコードに含まれるＷｉ−Ｆｉ認証情報を抽出する段階を含み、２次元バーコードは、別のＵＥにより、Ｗｉ−Ｆｉホットスポットデバイスに対応する管理アプリケーションプログラムから取得される。
【００１６】
第３態様の第４の可能な実施例に関し、第５の可能な実施例において、管理アプリケーションプログラムは、別のＵＥで動作する。
【００１７】
第３態様、又は、第３態様の第１の可能な実施例から第５の可能な実施例の任意の態様に関し、第６の可能な実施例において、Ｗｉ−Ｆｉホットスポットデバイスに接続する段階の前に、方法は、ＵＥにより、ＵＥのＷｉ−Ｆｉ機能がイネーブルか否かを調べる段階と、Ｗｉ−Ｆｉ機能がイネーブルでない場合に、ＵＥにより、Ｗｉ−Ｆｉ機能をイネーブルにする段階とをさらに含む。
【００１８】
第３態様、又は、第３態様の第１の可能な実施例から第６の可能な実施例の任意の態様に関し、第７の可能な実施例において、Ｗｉ−Ｆｉ認証情報は、以下の複数の項目、すなわち、サービスセット識別子ＳＳＩＤ、認証モード、及び認証パスワードのうち少なくとも１つを含む。
【００１９】
第４態様に従って、Ｗｉ−Ｆｉホットスポットデバイスが提供される。Ｗｉ−Ｆｉホットスポットデバイスは、Ｗｉ−Ｆｉ認証情報に従って、２次元バーコードを生成するよう構成された生成ユニットであって、２次元バーコードはＷｉ−Ｆｉ認証情報を含み、Ｗｉ−Ｆｉ認証情報は、Ｗｉ−Ｆｉホットスポットデバイスに接続する前に、認証用に用いられる、生成ユニットと、Ｗｉ−Ｆｉホットスポットデバイスの表示画面を用いることによって、ユーザ機器ＵＥに２次元バーコードを提示するよう構成された提示ユニットとを含む。
【００２０】
第４態様に関し、第１の可能な実施例において、Ｗｉ−Ｆｉホットスポットデバイスは、更新ユニットをさらに含む。更新ユニットは、Ｗｉ−Ｆｉ認証情報を動的に更新するよう構成され、生成ユニットは、動的に更新されたＷｉ−Ｆｉ認証情報に従って、２次元バーコードを動的に生成するよう特に構成される。
【００２１】
第４態様又は第４態様の第１の可能な実施例に関し、第２の可能な実施例において、Ｗｉ−Ｆｉ認証情報は、以下の複数の項目、すなわち、サービスセット識別子ＳＳＩＤ、認証モード、及び認証パスワードのうち少なくとも１つを含む。
【００２２】
第５態様に従って、Ｗｉ−Ｆｉホットスポットデバイスが提供される。Ｗｉ−Ｆｉホットスポットデバイスは、Ｗｉ−Ｆｉ認証情報に従って２次元バーコードを生成するよう構成された生成ユニットであって、２次元バーコードはＷｉ−Ｆｉ認証情報を含み、Ｗｉ−Ｆｉ認証情報は、Ｗｉ−Ｆｉホットスポットデバイスに接続する前に、認証用に用いられる、生成ユニットと、Ｗｉ−Ｆｉホットスポットデバイスに対応する管理アプリケーションプログラムに２次元バーコードを設定するよう構成された設定ユニットであって、管理アプリケーションプログラムは、別のユーザ機器ＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる、設定ユニットとを含む。
【００２３】
第５態様に関し、第１の可能な実施例において、管理アプリケーションプログラムは、別のＵＥで動作する。
【００２４】
第５態様又は第５態様の第１の可能な実施例に関し、第２の可能な実施例において、Ｗｉ−Ｆｉホットスポットデバイスは、更新ユニットをさらに含む。更新ユニットは、Ｗｉ−Ｆｉ認証情報を動的に更新するよう構成され、生成ユニットは、動的に更新されたＷｉ−Ｆｉ認証情報に従って、２次元バーコードを動的に生成するよう特に構成される。
【００２５】
第５態様、又は、第５態様の第１の可能な実施例又は第２の可能な実施例に関し、第３の可能な実施例において、Ｗｉ−Ｆｉ認証情報は、以下の複数の項目、すなわち、サービスセット識別子ＳＳＩＤ、認証モード、及び認証パスワードのうち少なくとも１つを含む。
【００２６】
第６態様に従って、ユーザ機器が提供される。ユーザ機器は、２次元バーコードに含まれるＷｉ−Ｆｉ認証情報を抽出するよう構成された抽出ユニットと、Ｗｉ−Ｆｉ認証情報に従ってＷｉ−Ｆｉホットスポットデバイスとの認証を完了し、Ｗｉ−Ｆｉホットスポットデバイスに接続するよう構成された接続ユニットとを含む。
【００２７】
第６態様に関し、第１の可能な実施例において、２次元バーコードは、Ｗｉ−Ｆｉホットスポットデバイスによって生成される、又は２次元バーコードは、Ｗｉ−Ｆｉホットスポットデバイスに対応する管理デバイスによって生成される。
【００２８】
第６態様又は第６態様の第１の可能な実施例に関し、第２の可能な実施例において、抽出ユニットは、Ｗｉ−Ｆｉホットスポットデバイスの表示画面に提示される２次元バーコードをスキャンして、２次元バーコードに含まれるＷｉ−Ｆｉ認証情報を抽出するよう特に構成される。
【００２９】
第６態様又は第６態様の第１の可能な実施例に関し、第３の可能な実施例において、抽出ユニットは、別のユーザ機器ＵＥの表示画面に提示される２次元バーコードをスキャンして、２次元バーコードに含まれるＷｉ−Ｆｉ認証情報を抽出するよう特に構成される。２次元バーコードは、別のＵＥにより、Ｗｉ−Ｆｉホットスポットデバイスに対応する管理アプリケーションプログラムから取得される。
【００３０】
第６態様の第３の可能な実施例に関し、第４の可能な実施例において、管理アプリケーションプログラムは、別のＵＥで動作する。
【００３１】
第６態様、又は、第６態様の第１の可能な実施例から第４の可能な実施例の任意の態様に関し、第５の可能な実施例において、接続ユニットは、Ｗｉ−Ｆｉホットスポットデバイスに接続する前に、ＵＥのＷｉ−Ｆｉ機能がイネーブルか否かを調べ、Ｗｉ−Ｆｉ機能がイネーブルでない場合に、Ｗｉ−Ｆｉ機能をイネーブルにするようさらに構成される。
【００３２】
第７態様に従って、Ｗｉ−Ｆｉホットスポットデバイスが提供される。Ｗｉ−Ｆｉホットスポットデバイスは、メモリとプロセッサと表示画面とを含む。メモリは、実行可能命令を格納するよう構成される。プロセッサは、メモリに格納された実行可能命令を実行し、またＷｉ−Ｆｉ認証情報に従って２次元バーコードを生成して、表示画面を用いることによって、ＵＥに２次元バーコードを提示するよう構成される。２次元バーコードは、Ｗｉ−Ｆｉ認証情報を含み、Ｗｉ−Ｆｉ認証情報は、Ｗｉ−Ｆｉホットスポットデバイスに接続する前に、認証用に用いられる。
【００３３】
第７態様に関し、第１の可能な実施例において、プロセッサは、Ｗｉ−Ｆｉ認証情報を動的に更新し、動的に更新されたＷｉ−Ｆｉ認証情報に従って、２次元バーコードを動的に生成するようさらに構成される。
【００３４】
第７態様又は第７態様の第１の可能な実施例に関し、第２の可能な実施例において、Ｗｉ−Ｆｉ認証情報は、以下の複数の項目、すなわちＳＳＩＤ、認証モード、及び認証パスワードのうち少なくとも１つを含む。
【００３５】
第８態様に従って、Ｗｉ−Ｆｉホットスポットデバイスが提供される。Ｗｉ−Ｆｉホットスポットデバイスは、メモリとプロセッサとを含む。メモリは、実行可能命令を格納するよう構成される。プロセッサは、メモリに格納された実行可能命令を実行し、またＷｉ−Ｆｉ認証情報に従って２次元バーコードを生成して、Ｗｉ−Ｆｉホットスポットデバイスに対応する管理アプリケーションプログラムに２次元バーコードを設定するよう構成される。２次元バーコードはＷｉ−Ｆｉ認証情報を含み、Ｗｉ−Ｆｉ認証情報は、Ｗｉ−Ｆｉホットスポットデバイスに接続する前に、認証用に用いられる。管理アプリケーションプログラムは、別のユーザ機器ＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる。
【００３６】
第８態様に関し、第１の可能な実施例において、管理アプリケーションプログラムは、別のＵＥで動作する。
【００３７】
第８態様又は第８態様の第１の可能な実施例に関し、第２の可能な実施例において、プロセッサは、Ｗｉ−Ｆｉ認証情報を動的に更新して、動的に更新されたＷｉ−Ｆｉ認証情報に従って、２次元バーコードを動的に生成するようさらに構成される。
【００３８】
第８態様、又は、第８態様の第１の可能な実施例又は第２の可能な実施例に関し、第３の可能な実施例において、Ｗｉ−Ｆｉ認証情報は、以下の複数の項目、すなわち、ＳＳＩＤ、認証モード、及び認証パスワードのうち少なくとも１つを含む。
【００３９】
第９態様に従って、ＵＥが提供される。ＵＥは、メモリとプロセッサとを含む。メモリは、実行可能命令を格納するよう構成される。プロセッサは、メモリに格納された実行可能命令を実行し、また２次元バーコードに含まれるＷｉ−Ｆｉ認証情報を抽出し、Ｗｉ−Ｆｉ認証情報に従って、Ｗｉ−Ｆｉホットスポットデバイスとの認証を完了し、Ｗｉ−Ｆｉホットスポットデバイスに接続するよう構成される。
【００４０】
第９態様に関し、第１の可能な実施例において、２次元バーコードは、Ｗｉ−Ｆｉホットスポットデバイスによって生成される、又は２次元バーコードは、Ｗｉ−Ｆｉホットスポットデバイスに対応する管理デバイスによって生成される。
【００４１】
第９態様又は第９態様の第１の可能な実施例に関し、第２の可能な実施例において、ＵＥはカメラをさらに含む。プロセッサは、カメラを制御して、Ｗｉ−Ｆｉホットスポットデバイスの表示画面に提示される２次元バーコードをスキャンし、２次元バーコードに含まれるＷｉ−Ｆｉ認証情報を抽出する。
【００４２】
第９態様又は第９態様の第１の可能な実施例に関し、第３の可能な実施例において、プロセッサはカメラを制御して、別のＵＥの表示画面に提示される２次元バーコードをスキャンし、２次元バーコードに含まれるＷｉ−Ｆｉ認証情報を抽出する。２次元バーコードは、別のＵＥにより、Ｗｉ−Ｆｉホットスポットデバイスに対応する管理アプリケーションプログラムから取得される。
【００４３】
第９態様の第３の可能な実施例に関し、第４の可能な実施例において、管理アプリケーションプログラムは、別のＵＥで動作する。
【００４４】
第９態様、又は、第９態様の第１の可能な実施例から第４の可能な実施例の任意の態様に関し、第５の可能な実施例において、接続ユニットは、Ｗｉ−Ｆｉホットスポットデバイスに接続する前に、ＵＥのＷｉ−Ｆｉ機能がイネーブルか否かを調べ、Ｗｉ−Ｆｉ機能がイネーブルでない場合に、Ｗｉ−Ｆｉ機能をイネーブルにするようさらに構成される。
【００４５】
本発明の複数の実施形態において、Ｗｉ−Ｆｉホットスポットデバイスは、Ｗｉ−Ｆｉ認証情報を含む２次元バーコードを生成し、Ｗｉ−Ｆｉホットスポットデバイスの表示画面を用いることによって、ＵＥに２次元バーコードを提示し、これにより、ＵＥは、２次元バーコードに従って、Ｗｉ−Ｆｉホットスポットデバイスに接続し得るので、ユーザはＷｉ−Ｆｉ認証情報を記憶又は記録する必要はなく、これにより、ユーザエクスペリエンスが改善される。
【図面の簡単な説明】
【００４６】
本発明の複数の実施形態において、複数の技術的解決手段をより明確に説明すべく、本発明の複数の実施形態を説明するために必要とされる複数の添付図面を以下簡潔に紹介する。以下の説明における複数の添付図面は、本発明の複数の実施形態のいくつかを示すだけに過ぎず、当業者はそれでも、創造的な努力なしにこれらの添付図面から他の複数の図面を導き出し得ることは明らかである。
【００４７】
【図１】本発明の一実施形態による、Ｗｉ−Ｆｉホットスポットデバイスに接続するための方法の概略フローチャートである。
【００４８】
【図２】本発明の一実施形態による、２次元バーコードの概略図である。
【００４９】
【図３】本発明の別の実施形態による、Ｗｉ−Ｆｉホットスポットデバイスに接続するための方法の概略フローチャートである。
【００５０】
【図４】本発明の別の実施形態による、Ｗｉ−Ｆｉホットスポットデバイスに接続するための方法の概略フローチャートである。
【００５１】
【図５】本発明の一実施形態による、Ｗｉ−Ｆｉホットスポットデバイスの概略ブロック図である。
【００５２】
【図６】本発明の別の実施形態による、Ｗｉ−Ｆｉホットスポットデバイスの概略ブロック図である。
【００５３】
【図７】本発明の一実施形態による、ＵＥの概略ブロック図である。
【００５４】
【図８】本発明の別の実施形態による、Ｗｉ−Ｆｉホットスポットデバイスの概略ブロック図である。
【００５５】
【図９】本発明の別の実施形態による、Ｗｉ−Ｆｉホットスポットデバイスの概略ブロック図である。
【００５６】
【図１０】本発明の別の実施形態による、ＵＥの概略ブロック図である。
【発明を実施するための形態】
【００５７】
本発明の複数の実施形態における複数の添付図面を参照して、本発明の複数の実施形態における複数の技術的解決手段を以下に明確且つ完全に説明する。説明された複数の実施形態は、本発明の複数の実施形態の一部であり、それらの全てではないことは明らかである。本発明の複数の実施形態に基づいて、当業者によって創造的な努力なしに取得される他の全ての実施形態は、本発明の保護範囲内に含まれるものとする。
【００５８】
本発明の複数の実施形態において、ユーザ機器（Ｕｓｅｒ  Ｅｑｕｉｐｍｅｎｔ、ＵＥ）は、モバイル端末（Ｍｏｂｉｌｅ  Ｔｅｒｍｉｎａｌ、ＭＴ）、モバイルユーザ機器などとも称されるが、無線アクセスネットワーク（例えば、Ｒａｄｉｏ  Ａｃｃｅｓｓ  Ｎｅｔｗｏｒｋ、ＲＡＮ）を用いることによって、１又は複数のコアネットワークと通信し得る。ユーザ機器は、携帯電話（「セルラー」電話とも称される）やモバイル端末付きコンピュータなどのモバイル端末であってよい。例えば、ユーザ機器は、携帯型、ポケットサイズ型、ハンドヘルド型、コンピュータ内蔵型、又は車載型のモバイル装置であってよい。例えば、ＵＥの製品形態は、携帯電話、タブレットコンピュータ、又は同種のものを含んでよい。あるいは、スマートウォッチ又はスマートグラスなどのスマートウェアラブルデバイスであってもよい。
【００５９】
図１は、本発明の一実施形態による、Ｗｉ−Ｆｉホットスポットデバイスに接続するための方法の概略フローチャートである。図１の方法は、Ｗｉ−Ｆｉホットスポットデバイスによって実行される。Ｗｉ−Ｆｉホットスポットデバイスは、無線ルータ、モバイルＷｉＦｉ、又は別の製品形態でＷｉ−Ｆｉホットスポットとして用いられ得るデバイスを含んでよい。
【００６０】
１１０．Ｗｉ−Ｆｉホットスポットデバイスは、Ｗｉ−Ｆｉ認証情報に従って２次元バーコードを生成する。２次元バーコードはＷｉ−Ｆｉ認証情報を含み、Ｗｉ−Ｆｉ認証情報は、Ｗｉ−Ｆｉホットスポットデバイスに接続する前に認証用に用いられる。
【００６１】
１２０．Ｗｉ−Ｆｉホットスポットデバイスは、Ｗｉ−Ｆｉホットスポットデバイスの表示画面を用いることによって、ＵＥに２次元バーコードを提示する。
【００６２】
Ｗｉ−Ｆｉホットスポットデバイスは、Ｗｉ−Ｆｉホットスポットデバイスの表示画面に２次元バーコードを提示し得て、これにより、ＵＥは、提示された２次元バーコードを読み取り得る。例えば、ＵＥは、例えば、既存のソフトウェア「Ｂａｒｃｏｄｅ  Ｓｃａｎｎｅｒ」を用いることによって、２次元バーコードをスキャンするサードパーティアプリケーションを用いることにより、２次元バーコードをスキャンしてよい。
【００６３】
Ｗｉ−Ｆｉホットスポットデバイスに接続する既存プロセスにおいて、ユーザは、Ｗｉ−Ｆｉ認証情報を記憶又は記録して、そのような情報をＵＥに手動で入力する必要があり、これが不満足なユーザエクスペリエンスの原因となる。しかしながら、本発明のこの実施形態において、Ｗｉ−Ｆｉホットスポットデバイスは、Ｗｉ−Ｆｉ認証情報を含む２次元バーコードを生成して、２次元バーコードをＵＥに提示し得る。従って、ＵＥは、２次元バーコードからＷｉ−Ｆｉ認証情報を抽出して、Ｗｉ−Ｆｉ認証情報に従って、Ｗｉ−Ｆｉホットスポットデバイスに接続し得るので、ユーザは認証情報を手動で入力する必要がない。これにより、ユーザの操作が低減され、ユーザエクスペリエンスが改善される。
【００６４】
さらに、現在、いくつかのＷｉ−Ｆｉホットスポットデバイスの認証モードは、「Ｏｐｅｎ」、すなわち、ユーザはパスワードをＵＥに入力する必要がないモードに設定されているので、ＵＥは、Ｗｉ−Ｆｉホットスポットデバイスを見つけた後に、Ｗｉ−Ｆｉホットスポットデバイスに直接接続し得る。そのようなやり方において、ユーザは、対応する認証情報をＵＥに入力する必要がないが、これは、パスワード保護がないので極めて危険である。しかしながら、本発明のこの実施形態において、Ｗｉ−Ｆｉホットスポットデバイスは、Ｗｉ−Ｆｉ認証情報を含む２次元バーコードを生成し、これにより、ＵＥは、２次元バーコードに従ってＷｉ−Ｆｉホットスポットデバイスに接続する。これは、パスワード不要モードと比較すると、Ｗｉ−Ｆｉネットワークのセキュリティをさらに保証し得る。
【００６５】
従って、本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスの表示画面を用いることによって、ＵＥに２次元バーコードを提示する。これにより、ＵＥは、２次元バーコードに従ってＷｉ−Ｆｉホットスポットデバイスに接続し得るので、ユーザはＷｉ−Ｆｉ認証情報を記憶又は記録する必要がなく、これにより、ユーザエクスペリエンスが改善される。
【００６６】
任意選択で、一実施形態として、Ｗｉ−Ｆｉ認証情報は、以下の複数の項目、すなわち、サービスセット識別子（Ｓｅｒｖｉｃｅ  Ｓｅｔ  Ｉｄｅｎｔｉｆｉｅｒ、ＳＳＩＤ）、認証モード、及び認証パスワードのうち少なくとも１つを含んでよい。
【００６７】
２次元バーコードは、従来の１次元「バーコード」の２次元拡張版とみなされ得る。２次元バーコードは、その中に１つのテキスト情報が組み込まれている画像と解釈され得る。テキスト情報の具体的な内容は限定ないが、例えば、ユニフォームリソースロケータ（Ｕｎｉｆｏｒｍ  Ｒｅｓｏｕｒｃｅ  Ｌｏｃａｔｏｒ、ＵＲＬ）、電子メール（ｅｍａｉｌ）アドレス、個人連絡先情報、又は同種のものであり得る。本発明のこの実施形態において、Ｗｉ−Ｆｉホットスポットデバイスによって生成された２次元バーコードは、Ｗｉ−Ｆｉ認証情報を組み込むのに用いられ得る。さらに、本発明のこの実施形態における２次元バーコードは、バーコード、３次元バーコード、又は他の予め定められた複数の画像によってさらに置換えられてよく、これらの全ては、Ｗｉ−Ｆｉ認証情報を組み込むのに用いられ得る。
【００６８】
２次元バーコードに含まれる認証情報は、ＳＳＩＤ、認証モード、及び認証パスワードを含み得ることが好ましく、この場合、ユーザは、付加的な操作を何も実行する必要はなく、これによって、ユーザエクスペリエンスが改善される。別の場合において、２次元バーコードに含まれる認証情報は、認証モード及び認証パスワードだけを含んでよく、この場合、ユーザは、ＳＳＩＤを手動で選択し得る。同様に、認証情報は、認証パスワードだけを含んでよいので、ユーザは、ＳＳＩＤ及び認証モードを手動で選択し得る。
【００６９】
複数の異なる構造を有する２次元バーコードなどの複数の種類の２次元バーコード、並びに、複数の編集及び読み取り方法が存在する。一般的な種類の２次元バーコードは、ＰＤＦ４１７コード、クイックレスポンスコード（Ｑｕｉｃｋ  Ｒｅｓｐｏｎｓｅ  Ｃｏｄｅ、ＱＲ  ｃｏｄｅ）、中国語感知コード（Ｃｈｉｎｅｓｅ−ｓｅｎｓｉｂｌｅ  ｃｏｄｅ）、カラーバーコードなどを含む。現在、最も一般的に用いられる２次元バーコードは、ＱＲコード（登録商標）である。図２は、本発明の一実施形態による、２次元バーコードの概略図である。図２に示されるように、２次元バーコードに含まれるテキスト情報は、「ＷＩＦＩ：Ｓ：ｔｅｓｔ１；Ｔ：ＷＰＡ；Ｐ：１２３４；」であり得て、ＳＳＩＤがｔｅｓｔ１であり、認証モードがＷｉ−Ｆｉ保護アクセス（Ｗｉ−Ｆｉ  Ｐｒｏｔｅｃｔｅｄ  Ａｃｃｅｓｓ、ＷＰＡ）／ＷＰＡ２であり、認証パスワードは１２３４であることを、テキスト情報は示し得る。
【００７０】
例えば、表１は、例示的な２次元バーコード中のテキスト情報の定義説明を示す。表１において、テキスト情報は、「ＷＩＦＩ：Ｔ：ＷＰＡ；Ｓ：ｍｙｎｅｔｗｏｒｋ；Ｐ：ｍｙｐａｓｓ」であると仮定する。
【表１】
2018067938.tif 000003
【００７１】
任意選択で、別の実施形態として、段階１１０において、Ｗｉ−Ｆｉ認証情報は、Ｗｉ−Ｆｉホットスポットデバイスの内部に格納され、例えば、メモリに格納されてもよい。従って、Ｗｉ−Ｆｉホットスポットデバイスは、メモリからＷｉ−Ｆｉ情報を読み取り得る。
【００７２】
任意選択で、別の実施形態として、Ｗｉ−Ｆｉホットスポットデバイスは、Ｗｉ−Ｆｉ認証情報を動的に更新してよい。この場合、段階１１０において、Ｗｉ−Ｆｉホットスポットデバイスは、動的に更新されたＷｉ−Ｆｉ認証情報に従って、２次元バーコードを動的に生成し得る。
【００７３】
具体的には、Ｗｉ−Ｆｉ認証情報は動的に変化し得て、Ｗｉ−Ｆｉホットスポットデバイスは、変化したＷｉ−Ｆｉ認証情報に従って、２次元バーコードを動的に生成し得る。例えば、Ｗｉ−Ｆｉ認証情報中の認証パスワードはランダムに生成され得る、又は予め設定されたルールに従って変化し得る。この場合において、Ｗｉ−Ｆｉホットスポットデバイスは、Ｗｉ−Ｆｉ認証情報を動的に更新し、動的に更新されたＷｉ−Ｆｉ認証情報に基づいて２次元バーコードを動的に生成し、次に、Ｗｉ−Ｆｉホットスポットデバイスの表示画面を用いることによって、動的に生成された２次元バーコードをＵＥに提示し得る。これにより、Ｗｉ−Ｆｉネットワークのセキュリティがさらに改善され得る。
【００７４】
図３は、本発明の別の実施形態による、Ｗｉ−Ｆｉホットスポットデバイスに接続するための方法の概略フローチャートである。図３の方法は、Ｗｉ−Ｆｉホットスポットデバイスによって実行される。
【００７５】
３１０．Ｗｉ−Ｆｉホットスポットデバイスは、Ｗｉ−Ｆｉ認証情報に従って２次元バーコードを生成する。２次元バーコードはＷｉ−Ｆｉ認証情報を含み、Ｗｉ−Ｆｉ認証情報は、Ｗｉ−Ｆｉホットスポットデバイスに接続する前に認証用に用いられる。
【００７６】
３２０．Ｗｉ−Ｆｉホットスポットデバイスは、Ｗｉ−Ｆｉホットスポットデバイスに対応する管理アプリケーションプログラムに２次元バーコードを設定する。管理アプリケーションプログラムは、別のＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる。
【００７７】
２次元バーコードの具体的な説明のために、図１及び図２の実施形態が参照され得るが、これらは改めて説明されない。
【００７８】
Ｗｉ−Ｆｉホットスポットデバイスに接続する既存プロセスにおいて、ユーザは、Ｗｉ−Ｆｉ認証情報を記憶又は記録し、そのような情報をＵＥに手動で入力する必要がある。これが不満足なユーザエクスペリエンスの原因となる。しかしながら、本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスに対応する管理アプリケーションプログラムに２次元バーコードを設定し得る、これにより、別のＵＥは、２次元バーコードを取得して、Ｗｉ−Ｆｉホットスポットデバイスに接続する必要があるＵＥに２次元バーコードを提示し得る。このように、Ｗｉ−Ｆｉホットスポットデバイスに接続する必要があるＵＥは、２次元バーコードからＷｉ−Ｆｉ認証情報を抽出し得る。ユーザは認証情報を手動で入力する必要がなく、ＵＥは、Ｗｉ−Ｆｉ認証情報に従って、Ｗｉ−Ｆｉホットスポットデバイスに接続し、これにより、ユーザエクスペリエンスが改善される。
【００７９】
さらに、現在、いくつかのＷｉ−Ｆｉホットスポットデバイスの認証モードは、「Ｏｐｅｎ」、すなわち、ユーザはパスワードをＵＥに入力する必要がないモードに設定されているので、ＵＥは、Ｗｉ−Ｆｉホットスポットデバイスを見つけた後に、Ｗｉ−Ｆｉホットスポットデバイスに直接接続し得る。そのようなやり方において、ユーザは、対応する認証情報をＵＥに入力する必要がないが、これは、パスワード保護がないので極めて危険である。しかしながら、本発明のこの実施形態において、Ｗｉ−Ｆｉホットスポットデバイスは、Ｗｉ−Ｆｉ認証情報を含む２次元バーコードを生成し、これにより、ＵＥは、２次元バーコードに従ってＷｉ−Ｆｉホットスポットデバイスに接続する。これは、パスワード不要モードと比較すると、Ｗｉ−Ｆｉネットワークのセキュリティをさらに保証し得る。
【００８０】
従って、本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスに対応する管理アプリケーションプログラムに２次元バーコードを設定する。これにより、別のＵＥは、管理アプリケーションプログラムから２次元バーコードを取得して、Ｗｉ−Ｆｉホットスポットデバイスに接続する必要があるＵＥに２次元バーコードを提示し得る。これにより、Ｗｉ−Ｆｉホットスポットデバイスに接続する必要があるＵＥは、２次元バーコードに従って、Ｗｉ−Ｆｉホットスポットデバイスに接続し得る。ユーザはＷｉ−Ｆｉ認証情報を記憶又は記録する必要がなく、これにより、ユーザエクスペリエンスが改善される。
【００８１】
具体的には、段階３２０において、Ｗｉ−Ｆｉホットスポットデバイスは、別の表示インターフェースを用いることによって、２次元バーコードを提示し得る。例えば、Ｗｉ−Ｆｉホットスポットデバイスは、Ｗｉ−Ｆｉホットスポットデバイスに対応する管理アプリケーションプログラムに、生成された２次元バーコードを設定し得る。例えば、管理アプリケーションプログラムは、Ｗｉ−Ｆｉホットスポットデバイスに対応するＷｅｂ管理ページであってよく、Ｗｉ−Ｆｉホットスポットデバイスに対応するＷｅｂ管理ページは、ネットワークパラメータ、Ｗｉ−Ｆｉホットスポットデバイスの複数の設定、又は同種のものを修正するのに用いられ得る。管理アプリケーションプログラムは、Ｗｉ−Ｆｉホットスポットデバイスに対応する、携帯電話アプリなどのサードパーティアプリケーション（Ａｐｐｌｉｃａｔｉｏｎ、Ａｐｐ）であってもよい。
【００８２】
具体的には、別のＵＥは、Ｗｉ−Ｆｉホットスポットデバイスを管理し得る。別のＵＥは、Ｗｉ−ＦｉホットスポットデバイスのＷｅｂ管理ページから、２次元バーコードを取得して、別のＵＥの表示画面に２次元バーコードを提示し得る。又は、別のＵＥは、アプリを用いることによって、２次元バーコードを取得して、別のＵＥの表示画面に２次元バーコードを提示し得る。例えば、別のＵＥはコンピュータであってよく、コンピュータは、コンピュータの表示画面に２次元バーコードを提示し得る。この場合において、Ｗｉ−Ｆｉホットスポットデバイスに接続する必要がある上述のＵＥは、別のＵＥの表示画面に提示された２次元バーコードをスキャンして、対応するＷｉ−Ｆｉ認証情報を抽出し得る。
【００８３】
上述のやり方は、表示画面を持たないＷｉ−Ｆｉホットスポットデバイスに、より適用可能である。
【００８４】
Ｗｉ−Ｆｉホットスポットデバイスが、管理アプリケーションプログラムを用いることによって、２次元バーコードを提供する場合において、ユーザは、ＵＥを用いることにより、２次元バーコードを別のＵＥのユーザとさらに共有し得る。これにより、別のＵＥはＷｉ−Ｆｉホットスポットデバイスに接続し得て、これによりユーザエクスペリエンスが改善される。
【００８５】
任意選択で、一実施形態として、管理アプリケーションプログラムは、別のＵＥで動作してよい。この場合において、別のＵＥは、管理アプリケーションプログラムから２次元バーコードを取得して、別のＵＥの表示画面を用いることによって、Ｗｉ−Ｆｉホットスポットデバイスに接続する必要があるＵＥに２次元バーコードを提示し得る。
【００８６】
さらに、管理アプリケーションプログラムは、サーバなど、別のＵＥ以外のデバイスでも動作し得る。この場合において、デバイスは、管理アプリケーションプログラムから、２次元バーコードを取得して、別のＵＥに２次元バーコードを送信し得る。
【００８７】
任意選択で、別の実施形態として、Ｗｉ−Ｆｉ認証情報は、以下の複数の項目、すなわち、ＳＳＩＤ、認証モード、及び認証パスワードのうち少なくとも１つを含んでよい。
【００８８】
さらに、本発明のこの実施形態における２次元バーコードは、バーコード、３次元バーコード、又は他の予め定められた複数の画像によってさらに置換えられてよく、これらの全ては、Ｗｉ−Ｆｉ認証情報を組み込むのに用いられ得る。
【００８９】
任意選択で、別の実施形態として、Ｗｉ−Ｆｉホットスポットデバイスは、Ｗｉ−Ｆｉ認証情報を動的に更新してよい。この場合、段階３１０において、Ｗｉ−Ｆｉホットスポットデバイスは、動的に更新されたＷｉ−Ｆｉ認証情報に従って、２次元バーコードを動的に生成し得る。
【００９０】
具体的には、Ｗｉ−Ｆｉ認証情報は動的に変化し得て、Ｗｉ−Ｆｉホットスポットデバイスは、変化したＷｉ−Ｆｉ認証情報に従って、２次元バーコードを動的に生成し得る。例えば、Ｗｉ−Ｆｉ認証情報中の認証パスワードはランダムに生成され得る、又は予め設定されたルールに従って変化し得る。この場合において、Ｗｉ−Ｆｉホットスポットデバイスは、Ｗｉ−Ｆｉ認証情報を更新し、更新された認証情報に基づいて、更新された２次元バーコードを生成し得て、且つ更新された２次元バーコードを管理アプリケーションプログラムに設定し得る。
【００９１】
理解され得るように、Ｗｉ−Ｆｉホットスポットデバイスは、動的に更新されたＷｉ−Ｆｉ認証情報に従って、２次元バーコードを動的に生成し得て、これにより、Ｗｉ−Ｆｉネットワークのセキュリティがさらに改善される。
【００９２】
図４は、本発明の別の実施形態による、Ｗｉ−Ｆｉホットスポットデバイスに接続するための方法の概略フローチャートである。図４の方法は、ＵＥによって実行される。
【００９３】
４１０．ＵＥは、２次元バーコードに含まれるＷｉ−Ｆｉ認証情報を抽出する。
【００９４】
４２０．ＵＥは、Ｗｉ−Ｆｉ認証情報に従って、Ｗｉ−Ｆｉホットスポットデバイスとの認証を完了し、Ｗｉ−Ｆｉホットスポットデバイスに接続する。
【００９５】
この実施形態において、２次元バーコードの具体的な説明のために、図１及び図２の実施形態が参照され得るが、これらは改めて説明されない。
【００９６】
本発明のこの実施形態において、Ｗｉ−Ｆｉホットスポットデバイスによって生成された２次元バーコードに含まれるＷｉ−Ｆｉ認証情報が抽出され、Ｗｉ−Ｆｉホットスポットデバイスは、Ｗｉ−Ｆｉ認証情報に従って接続される。従って、ユーザは、認証情報を手動で入力する必要がなく、これにより、ユーザエクスペリエンスが改善される。
【００９７】
理解され得るように、本発明のこの実施形態において、ユーザは、Ｗｉ−Ｆｉ認証情報をＵＥに入力する必要がなく、これによって、ユーザの操作が低減され得る。
【００９８】
任意選択で、一実施形態として、２次元バーコードは、Ｗｉ−Ｆｉホットスポットデバイスによって生成されてよい。具体的には、Ｗｉ−Ｆｉホットスポットデバイスは、それ自体によって２次元バーコードを生成し得る。
【００９９】
任意選択で、別の実施形態として、２次元バーコードは、Ｗｉ−Ｆｉホットスポットデバイスの管理デバイスによって生成されてよい。
【０１００】
具体的には、２次元バーコードは、２次元バーコードを生成するのに特に用いられる管理デバイスなど、別のデバイスを用いることによって生成され得る。管理デバイスは、Ｗｉ−ＦｉホットスポットデバイスからＷｉ−Ｆｉ認証情報を取得して、Ｗｉ−Ｆｉ認証情報に従って、２次元バーコードを生成し得る。
【０１０１】
管理デバイスは、生成された２次元バーコードをＷｉ−Ｆｉホットスポットデバイスに送信し得て、Ｗｉ−Ｆｉホットスポットデバイスは、Ｗｉ−Ｆｉホットスポットデバイスの表示画面に２次元バーコードを提示する。代わりに、Ｗｉ−Ｆｉホットスポットデバイスは、Ｗｉ−Ｆｉホットスポットデバイスに対応する管理アプリケーションプログラムに２次元バーコードを設定する。
【０１０２】
さらに、管理デバイスは、２次元バーコードをＷｉ−Ｆｉホットスポットデバイスに送信しなくてよいが、Ｗｉ−Ｆｉホットスポットデバイスに対応する管理アプリケーションプログラムに２次元バーコードを直接設定する。
【０１０３】
任意選択で、別の実施形態として、Ｗｉ−Ｆｉ認証情報は、ＳＳＩＤ、認証モード、及び認証パスワードを含んでよい。
【０１０４】
任意選択で、別の実施形態として、段階４１０において、ＵＥは、Ｗｉ−Ｆｉホットスポットデバイスの表示画面に提示される２次元バーコードをスキャンして、２次元バーコードに含まれるＷｉ−Ｆｉ認証情報を抽出してよい。
【０１０５】
表示画面を有するＷｉ−Ｆｉホットスポットデバイスでは、Ｗｉ−Ｆｉホットスポットデバイスは、Ｗｉ−Ｆｉホットスポットデバイスの表示画面に２次元バーコードを提示し得る。ＵＥは、提示された２次元バーコードをスキャンし得る。例えば、ＵＥは、対応するアプリを用いることによって２次元バーコードをスキャンし、次に２次元バーコード中のＷｉ−Ｆｉ認証情報を抽出し得る。
【０１０６】
任意選択で、別の実施形態として、段階４１０において、ＵＥは、別のＵＥの表示画面に提示される２次元バーコードをスキャンして、２次元バーコードに含まれるＷｉ−Ｆｉ認証情報を抽出してよく、２次元バーコードは、別のＵＥにより、Ｗｉ−Ｆｉホットスポットデバイスに対応する管理アプリケーションプログラムから取得される。
【０１０７】
２次元バーコードは、Ｗｉ−Ｆｉホットスポットデバイスに対応する管理アプリケーションプログラムに設定され得る。例えば、管理アプリケーションプログラムは、Ｗｉ−Ｆｉホットスポットデバイスに対応するＷｅｂ管理ページであってよく、又はＷｉ−Ｆｉホットスポットデバイスに対応するサードパーティアプリであってもよい。別のＵＥは、２次元バーコードを管理アプリケーションプログラムから取得して、別のＵＥの表示画面に２次元バーコードを提示し得る。Ｗｉ−Ｆｉホットスポットデバイスに接続する必要がある上述のＵＥは、別のＵＥの表示画面に提示された２次元バーコードをスキャンして、Ｗｉ−Ｆｉ認証情報を抽出し得る。
【０１０８】
さらに、Ｗｉ−Ｆｉホットスポットデバイスに接続する必要がある上述のＵＥはまた、Ｗｉ−Ｆｉホットスポットデバイスに対応するサードパーティアプリを用いることによって、２次元バーコードを取得し、２次元バーコードをスキャンし、次にＷｉ−Ｆｉ認証情報を抽出し得る。
【０１０９】
任意選択で、別の実施形態として、管理アプリケーションプログラムは、別のＵＥで動作してよい。この場合において、別のＵＥは、２次元バーコードを管理アプリケーションプログラムから取得し得る。
【０１１０】
任意選択で、別の実施形態として、段階４２０の前に、ＵＥは、プロンプト情報を提示してよい。プロンプト情報は、Ｗｉ−Ｆｉホットスポットデバイスに接続するよう指示するのに用いられる。ＵＥは、Ｗｉ−Ｆｉ認証情報に従って、且つプロンプト情報に対応する入力に基づいて、Ｗｉ−Ｆｉホットスポットデバイスとの認証を完了して、Ｗｉ−Ｆｉホットスポットデバイスに接続し得る。
【０１１１】
例えば、ＵＥは、ユーザにＷｉ−Ｆｉホットスポットデバイスへの接続を確認するよう促すのに用いられるプロンプト情報を提示し得えて、例えば、「接続」ボタンを提示し得る。ユーザは、プロンプト情報に従って入力を実行し得て、例えば、「接続」ボタンをクリックし得る。これによって、ユーザがＷｉ−Ｆｉホットスポットデバイスへの接続を確認することが示される。次に、ＵＥは入力に基づき、且つ抽出されたＷｉ−Ｆｉ認証情報に従って、Ｗｉ−Ｆｉホットスポットデバイスに接続し得る。
【０１１２】
代わりに、ＵＥはプロンプト情報を提示しなくてよいが、Ｗｉ−Ｆｉホットスポットデバイスに直接接続する。これでユーザの操作が低減され、これにより、ユーザエクスペリエンスが改善される。
【０１１３】
任意選択で、別の実施形態として、段階４２０の前に、ＵＥは、ＵＥのＷｉ−Ｆｉ機能がイネーブルか否かを調べてよい。Ｗｉ−Ｆｉ機能がイネーブルでない場合に、ＵＥは、Ｗｉ−Ｆｉ機能をイネーブルにし得る。
【０１１４】
具体的には、ＵＥは、ＵＥのＷｉ−Ｆｉ機能がイネーブルか否かを調べてよく、Ｗｉ−Ｆｉ機能がイネーブルでない場合に、ＵＥは、Ｗｉ−Ｆｉホットスポットデバイスに接続する前に、機能を自動的にイネーブルにし得る。既存プロセスにおいて、ユーザは、ＵＥのＷｉ−Ｆｉ機能を事前にイネーブルにする必要があり、これが操作を増大させる。しかしながら、この実施形態において、ＵＥは、Ｗｉ−Ｆｉホットスポットデバイスに接続する前に、機能を自動的にイネーブルにする。これで、ユーザの操作が低減され、これにより、ユーザエクスペリエンスが改善され得る。
【０１１５】
図５は本発明の一実施形態による、Ｗｉ−Ｆｉホットスポットデバイスの概略ブロック図である。図５のＷｉ−Ｆｉホットスポットデバイスの製品形態は、無線ルータ、モバイルＷｉＦｉ、又は同種のものであってよい。Ｗｉ−Ｆｉホットスポットデバイス５００は、生成ユニット５１０及び提示ユニット５２０を含む。
【０１１６】
生成ユニット５１０は、Ｗｉ−Ｆｉ認証情報に従って、２次元バーコードを生成する。２次元バーコードは、Ｗｉ−Ｆｉ認証情報を含み、Ｗｉ−Ｆｉ認証情報は、Ｗｉ−Ｆｉホットスポットデバイス５００に接続する前に認証用に用いられる。提示ユニット５２０は、Ｗｉ−Ｆｉホットスポットデバイスの表示画面を用いることによって、ＵＥに２次元バーコードを提示する。
【０１１７】
本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスの表示画面を用いることによってＵＥに２次元バーコードを提示する。これにより、ＵＥは、２次元バーコードに従って、Ｗｉ−Ｆｉホットスポットデバイスに接続し得る。ユーザは、Ｗｉ−Ｆｉ認証情報を記憶又は記録する必要がなく、これにより、ユーザエクスペリエンスが改善される。
【０１１８】
任意選択で、一実施形態として、Ｗｉ−Ｆｉ認証情報は、以下の複数の項目、すなわち、ＳＳＩＤ、認証モード、及び認証パスワードのうち少なくとも１つを含んでよい。
【０１１９】
任意選択で、別の実施形態として、Ｗｉ−Ｆｉホットスポットデバイス５００は、更新ユニット５３０をさらに含んでよい。更新ユニット５３０は、Ｗｉ−Ｆｉ認証情報を動的に更新し得る。生成ユニット５１０は、動的に更新されたＷｉ−Ｆｉ認証情報に従って、２次元バーコードを動的に生成し得る。
【０１２０】
Ｗｉ−Ｆｉホットスポットデバイス５００の他の複数の機能及び動作では、上述の図１の方法の実施形態におけるＷｉ−Ｆｉホットスポットデバイスを含む複数の処理が参照され得るが、繰り返しを回避すべく、複数の詳細は、本明細書に改めて提供されない。
【０１２１】
図６は、本発明の別の実施形態による、Ｗｉ−Ｆｉホットスポットデバイスの概略ブロック図である。図６のＷｉ−Ｆｉホットスポットデバイスの製品形態は、無線ルータ、モバイルＷｉＦｉ、又は同種のものであってよい。Ｗｉ−Ｆｉホットスポットデバイス６００は、生成ユニット６１０及び設定ユニット６２０を含む。
【０１２２】
生成ユニット６１０は、Ｗｉ−Ｆｉ認証情報に従って、２次元バーコードを生成する。２次元バーコードは、Ｗｉ−Ｆｉ認証情報を含み、Ｗｉ−Ｆｉ認証情報は、Ｗｉ−Ｆｉホットスポットデバイスに接続する前に認証用に用いられる。
【０１２３】
設定ユニット６２０は、Ｗｉ−Ｆｉホットスポットデバイスに対応する管理アプリケーションプログラムに２次元バーコードを設定する。管理アプリケーションプログラムは、別のＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる。
【０１２４】
本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスに対応する管理アプリケーションプログラムに２次元バーコードを設定する。これにより、別のＵＥは、管理アプリケーションプログラムから２次元バーコードを取得して、Ｗｉ−Ｆｉホットスポットデバイスに接続する必要があるＵＥに２次元バーコードを提示し得る。これにより、Ｗｉ−Ｆｉホットスポットデバイスに接続する必要があるＵＥは、２次元バーコードに従って、Ｗｉ−Ｆｉホットスポットデバイスに接続し得る。ユーザはＷｉ−Ｆｉ認証情報を記憶又は記録する必要がなく、これにより、ユーザエクスペリエンスが改善される。
【０１２５】
任意選択で、一実施形態として、管理アプリケーションプログラムは、別のＵＥで動作してよい。
【０１２６】
任意選択で、別の実施形態として、Ｗｉ−Ｆｉホットスポットデバイス６００は、更新ユニット６３０をさらに含んでよい。
【０１２７】
更新ユニット６３０は、Ｗｉ−Ｆｉ認証情報を動的に更新し得る。生成ユニット６１０は、動的に更新されたＷｉ−Ｆｉ認証情報に従って、２次元バーコードを動的に生成し得る。
【０１２８】
任意選択で、別の実施形態として、Ｗｉ−Ｆｉ認証情報は、以下の複数の項目、すなわち、サービスセット識別子ＳＳＩＤ、認証モード、及び認証パスワードのうち少なくとも１つを含んでよい。
【０１２９】
Ｗｉ−Ｆｉホットスポットデバイス６００の他の複数の機能及び動作では、上述の図３の方法の実施形態におけるＷｉ−Ｆｉホットスポットデバイスを含む複数の処理が参照され得るが、繰り返しを回避すべく、複数の詳細は、本明細書に改めて提供されない。
【０１３０】
図７は、本発明の一実施形態による、ＵＥの概略ブロック図である。図７のＵＥ７００の製品形態は、携帯電話又はタブレットコンピュータであってよい。あるいは、スマートウォッチ、スマートグラス、又は同種のものなどのスマートウェアラブルデバイスであってもよい。ＵＥ７００は、抽出ユニット７１０及び接続ユニット７２０を含む。
【０１３１】
抽出ユニット７１０は、２次元バーコードに含まれるＷｉ−Ｆｉ認証情報を抽出する。接続ユニット７２０は、Ｗｉ−Ｆｉ認証情報に従って、Ｗｉ−Ｆｉホットスポットデバイスとの認証を完了して、Ｗｉ−Ｆｉホットスポットデバイスに接続する。
【０１３２】
本発明のこの実施形態において、Ｗｉ−Ｆｉホットスポットデバイスによって生成された２次元バーコードに含まれるＷｉ−Ｆｉ認証情報が抽出され、Ｗｉ−Ｆｉホットスポットデバイスは、Ｗｉ−Ｆｉ認証情報に従って接続される。従って、ユーザは、認証情報を手動で入力する必要がなく、これにより、ユーザエクスペリエンスが改善される。
【０１３３】
任意選択で、一実施形態として、Ｗｉ−Ｆｉ認証情報は、以下の複数の項目、すなわち、ＳＳＩＤ、認証モード、及び認証パスワードのうち少なくとも１つを含んでよい。
【０１３４】
任意選択で、別の実施形態として、２次元バーコードは、Ｗｉ−Ｆｉホットスポットデバイスによって生成されてよい。
【０１３５】
任意選択で、別の実施形態として、２次元バーコードは、Ｗｉ−Ｆｉホットスポットデバイスに対応する管理デバイスによって生成されてよい。
【０１３６】
任意選択で、別の実施形態として、抽出ユニット７１０は、Ｗｉ−Ｆｉホットスポットデバイスの表示画面に提示される２次元バーコードをスキャンして、２次元バーコードに含まれるＷｉ−Ｆｉ認証情報を抽出してよい。
【０１３７】
任意選択で、別の実施形態として、抽出ユニット７１０は、別のＵＥの表示画面に提示される２次元バーコードをスキャンして、２次元バーコードに含まれるＷｉ−Ｆｉ認証情報を抽出してよく、２次元バーコードは、別のＵＥにより、Ｗｉ−Ｆｉホットスポットデバイスに対応する管理アプリケーションプログラムから取得される。
【０１３８】
任意選択で、別の実施形態として、管理アプリケーションプログラムは、別のＵＥで動作してよい。
【０１３９】
任意選択で、別の実施形態として、接続ユニット７２０は、Ｗｉ−Ｆｉホットスポットデバイスに接続する前に、ＵＥ７００のＷｉ−Ｆｉ機能がイネーブルか否かをさらに調べてよい。Ｗｉ−Ｆｉ機能がイネーブルでない場合に、接続ユニット７２０はＷｉ−Ｆｉ機能をイネーブルにし得る。
【０１４０】
ＵＥ７００の他の複数の機能及び動作では、上述の図４の方法の実施形態におけるＵＥを含む複数の処理が参照され得るが、繰り返しを回避すべく、複数の詳細は、本明細書に改めて提供されない。
【０１４１】
図８は、本発明の別の実施形態による、Ｗｉ−Ｆｉホットスポットデバイスの概略ブロック図である。図８のＷｉ−Ｆｉホットスポットデバイス８００の製品形態は、無線ルータ、モバイルＷｉＦｉ、又は同種のものであってよい。Ｗｉ−Ｆｉホットスポットデバイス８００は、メモリ８１０、プロセッサ８２０、及び表示画面８３０を含む。
【０１４２】
メモリ８１０は、ランダムアクセスメモリ、フラッシュメモリ、リードオンリメモリ、プログラマブルリードオンリメモリ、不揮発性メモリ、レジスタ、又は同種のものを含んでよい。プロセッサ８２０は、中央処理装置（Ｃｅｎｔｒａｌ  Ｐｒｏｃｅｓｓｉｎｇ  Ｕｎｉｔ、ＣＰＵ）であってよい。
【０１４３】
メモリ８１０は、実行可能命令を格納するよう構成される。プロセッサ８２０は、メモリ８１０に格納された実行可能命令を実行し得て、またＷｉ−Ｆｉ認証情報に従って２次元バーコードを生成して、表示画面８３０を用いることによって、ＵＥに２次元バーコードを提示するよう構成される。２次元バーコードは、Ｗｉ−Ｆｉ認証情報を含み、Ｗｉ−Ｆｉ認証情報は、Ｗｉ−Ｆｉホットスポットデバイス８００に接続する前に、認証用に用いられる。
【０１４４】
本発明のこの実施形態において、Ｗｉ−Ｆｉホットスポットデバイスは、Ｗｉ−Ｆｉ認証情報を含む２次元バーコードを生成して、２次元バーコードをＵＥに提示する。これにより、ＵＥは、２次元バーコードに従って、Ｗｉ−Ｆｉホットスポットデバイスに接続し得る。ユーザは、認証情報を手動で入力する必要がなく、これにより、ユーザエクスペリエンスが改善される。
【０１４５】
任意選択で、一実施形態として、Ｗｉ−Ｆｉ認証情報は、以下の複数の項目、すなわち、ＳＳＩＤ、認証モード、及び認証パスワードのうち少なくとも１つを含んでよい。
【０１４６】
任意選択で、別の実施形態として、プロセッサ８２０は、Ｗｉ−Ｆｉ認証情報をさらに動的に更新して、動的に更新されたＷｉ−Ｆｉ認証情報に従って、２次元バーコードを動的に生成してよい。
【０１４７】
Ｗｉ−Ｆｉホットスポットデバイス８００の他の複数の機能及び動作では、上述の図１の方法の実施形態におけるＷｉ−Ｆｉホットスポットデバイスを含む複数の処理が参照され得るが、繰り返しを回避すべく、複数の詳細は、本明細書に改めて提供されない。
【０１４８】
図９は、本発明の別の実施形態による、Ｗｉ−Ｆｉホットスポットデバイスの概略ブロック図である。図９のＷｉ−Ｆｉホットスポットデバイス９００の製品形態は、無線ルータ、モバイルＷｉＦｉ、又は同種のものであってよい。Ｗｉ−Ｆｉホットスポットデバイス９００は、メモリ９１０及びプロセッサ９２０を含む。
【０１４９】
メモリ９１０は、ランダムアクセスメモリ、フラッシュメモリ、リードオンリメモリ、プログラマブルリードオンリメモリ、不揮発性メモリ、レジスタ、又は同種のものを含んでよい。プロセッサ９２０はＣＰＵであってよい。
【０１５０】
メモリ９１０は、実行可能命令を格納するよう構成される。プロセッサ９２０は、メモリ９１０に格納された実行可能命令を実行し得て、またＷｉ−Ｆｉ認証情報に従って２次元バーコードを生成して、Ｗｉ−Ｆｉホットスポットデバイスに対応する管理アプリケーションプログラムに２次元バーコードを設定するよう構成される。２次元バーコードはＷｉ−Ｆｉ認証情報を含み、Ｗｉ−Ｆｉ認証情報は、Ｗｉ−Ｆｉホットスポットデバイスに接続する前に、認証用に用いられる。管理アプリケーションプログラムは、別のＵＥに２次元バーコードを提供するのに用いられ、別のＵＥは、別のＵＥの表示画面を用いることによって、Ｗｉ−Ｆｉホットスポットデバイスに接続する必要があるＵＥに２次元バーコードを提示するのに用いられる。
【０１５１】
本発明のこの実施形態において、Ｗｉ−Ｆｉホットスポットデバイスは、Ｗｉ−Ｆｉ認証情報を含む２次元バーコードを生成して、Ｗｉ−Ｆｉホットスポットデバイスに対応する管理アプリケーションプログラムに２次元バーコードを設定する。これにより、別のＵＥは、管理アプリケーションプログラムから２次元バーコードを取得して、Ｗｉ−Ｆｉホットスポットデバイスに接続する必要があるＵＥに２次元バーコードを提示し得る。これにより、Ｗｉ−Ｆｉホットスポットデバイスに接続する必要があるＵＥは、２次元バーコードに従って、Ｗｉ−Ｆｉホットスポットデバイスに接続し得る。ユーザはＷｉ−Ｆｉ認証情報を記憶又は記録する必要がなく、これにより、ユーザエクスペリエンスが改善される。
【０１５２】
任意選択で、一実施形態として、Ｗｉ−Ｆｉ認証情報は、以下の複数の項目、すなわち、ＳＳＩＤ、認証モード、及び認証パスワードのうち少なくとも１つを含んでよい。
【０１５３】
任意選択で、別の実施形態として、プロセッサ９２０は、Ｗｉ−Ｆｉ認証情報をさらに動的に更新して、動的に更新されたＷｉ−Ｆｉ認証情報に従って、２次元バーコードを動的に生成してよい。
【０１５４】
任意選択で、別の実施形態として、管理アプリケーションプログラムは、上述の別のＵＥで動作してよい。
【０１５５】
Ｗｉ−Ｆｉホットスポットデバイス９００の他の複数の機能及び動作では、上述の図３の方法の実施形態におけるＷｉ−Ｆｉホットスポットデバイスを含む複数の処理が参照され得るが、繰り返しを回避すべく、複数の詳細は、本明細書に改めて提供されない。
【０１５６】
図１０は、本発明の別の実施形態による、ＵＥの概略ブロック図である。図１０のＵＥ１０００の製品形態は、携帯電話又はタブレットコンピュータであってよい。あるいは、スマートウォッチ、スマートグラス、又は同種のものなどのスマートウェアラブルデバイスであってもよい。ＵＥ１０００は、メモリ１０１０及びプロセッサ１０２０を含む。
【０１５７】
メモリ１０１０は、ランダムアクセスメモリ、フラッシュメモリ、リードオンリメモリ、プログラマブルリードオンリメモリ、不揮発性メモリ、レジスタ、又は同種のものを含んでよい。プロセッサ１０２０はＣＰＵであってよい。
【０１５８】
メモリ１０１０は、実行可能命令を格納するよう構成される。プロセッサ１０２０は、メモリ１０１０に格納された実行可能命令を実行し得て、また２次元バーコードに含まれるＷｉ−Ｆｉ認証情報を抽出し、Ｗｉ−Ｆｉ認証情報に従って、Ｗｉ−Ｆｉホットスポットデバイスとの認証を完了し、Ｗｉ−Ｆｉホットスポットデバイスに接続するよう構成される。
【０１５９】
本発明のこの実施形態において、Ｗｉ−Ｆｉホットスポットデバイスによって生成された２次元バーコードに含まれるＷｉ−Ｆｉ認証情報が抽出され、Ｗｉ−Ｆｉホットスポットデバイスは、Ｗｉ−Ｆｉ認証情報に従って接続される。従って、ユーザは、認証情報を手動で入力する必要がなく、これにより、ユーザエクスペリエンスが改善される。
【０１６０】
任意選択で、一実施形態として、Ｗｉ−Ｆｉ認証情報は、以下の複数の項目、すなわち、ＳＳＩＤ、認証モード、及び認証パスワードのうち少なくとも１つを含んでよい。
【０１６１】
任意選択で、別の実施形態として、２次元バーコードは、Ｗｉ−Ｆｉホットスポットデバイスによって生成されてよい。
【０１６２】
任意選択で、別の実施形態として、２次元バーコードは、Ｗｉ−Ｆｉホットスポットデバイスに対応する管理デバイスによって生成されてよい。
【０１６３】
任意選択で、別の実施形態として、ＵＥ１０００は、カメラ１０３０をさらに含んでよい。プロセッサ１０２０は、カメラ１０３０を制御して、Ｗｉ−Ｆｉホットスポットデバイスの表示画面に提示される２次元バーコードをスキャンし、２次元バーコードに含まれるＷｉ−Ｆｉ認証情報を抽出し得る。
【０１６４】
任意選択で、別の実施形態として、プロセッサ１０２０は、カメラ１０３０を制御して、別のＵＥの表示画面に提示される２次元バーコードをスキャンし、２次元バーコードに含まれるＷｉ−Ｆｉ認証情報を抽出してよく、２次元バーコードは、別のＵＥにより、Ｗｉ−Ｆｉホットスポットデバイスに対応する管理アプリケーションプログラムから取得される。
【０１６５】
任意選択で、別の実施形態として、管理アプリケーションプログラムは、別のＵＥで動作してよい。
【０１６６】
任意選択で、別の実施形態として、プロセッサ１０２０は、Ｗｉ−Ｆｉホットスポットデバイスに接続する前に、ＵＥ１０００のＷｉ−Ｆｉ機能がイネーブルか否かをさらに調べてよい。Ｗｉ−Ｆｉ機能がイネーブルでない場合に、プロセッサ１０２０はＷｉ−Ｆｉ機能をイネーブルにする。
【０１６７】
ＵＥ１０００の他の複数の機能及び動作では、上述の図４の方法の実施形態におけるＵＥを含む複数の処理が参照され得るが、繰り返しを回避すべく、複数の詳細は、本明細書に改めて提供されない。
【０１６８】
当業者は気付くであろうように、本明細書で開示される複数の実施形態において説明される複数の例と組み合わせて、複数のユニット及びアルゴリズムの複数の段階は、電子的ハードウェア、又はコンピュータソフトウェアと電子的ハードウェアとの組み合わせにより実装され得る。複数の機能がハードウェアによって実行されるか、ソフトウェアによって実行されるかは、複数の特定の用途、及び複数の技術的解決手段の複数の設計制約条件に依存する。当業者は、説明された複数の機能を、それぞれの特定の用途のために実装すべく異なる複数の方法を用い得るが、その実装が本発明の範囲を超えるものとしてみなされるべきではない。
【０１６９】
簡便且つ簡潔な説明をする目的で、上述のシステム、装置、及びユニットの詳細な動作プロセスについて、上述した方法の複数の実施形態における対応する処理が参照されてよいことは当業者により明確に理解されうることであり、詳細は本明細書で改めて説明されない。
【０１７０】
本願において提供される複数の実施形態において、開示されたシステム、装置、及び方法は他の複数のやり方で実装され得ることが理解されるべきである。例えば、説明された装置の実施形態は、単に例示的なものにすぎない。例えば、ユニットの区分けは、単に論理的な機能の区分けであり、実際の実装においては他の区分けであり得る。例えば、複数のユニットまたは構成要素が別のシステム中に組み合わされても、統合されてもよい。もしくは、いくつか複数の特徴が無視されても、実行されなくてもよい。さらに、表示された、又は議論された複数の相互結合又は複数の直接結合又は複数の通信接続は、いくつか複数のインターフェースを使用することによって実装されてよい。複数の装置間又は複数のユニット間の複数の間接的結合又は複数の通信接続は、電子的形態、機械的形態、又は他の複数の形態で実装されてよい。
【０１７１】
別個の複数の部分として説明される複数のユニットは、物理的に別個であっても、そうでなくてもよい。また複数のユニットとして表示される複数の部分は、複数の物理的なユニットであっても、そうでなくてもよく、１つの位置に配置されても、複数のネットワークユニット上で分散させられてもよい。複数のユニットのうちのいくつか又は全てが、複数の実施形態の複数の解決手段の複数の目的を達成すべく、実際の必要性に従って選択されてよい。
【０１７２】
さらに、本発明の複数の実施形態における複数の機能ユニットは、１つの処理ユニットに統合され得るか、又は、複数のユニットのそれぞれは物理的に単独で存在し得るか、又は、２つ又はそれより多くのユニットが１つのユニットに統合される。
【０１７３】
複数の機能がソフトウェア機能ユニットの形態で実装され、独立した製品として販売または用いられる場合、それら機能はコンピュータ可読記憶媒体に格納され得る。そのような理解に基づき、本発明の複数の技術的解決手段は基本的に、又は従来技術に寄与する一部、又は複数の技術的解決手段のうちいくつかは、ソフトウェア製品の形態で実装され得る。コンピュータソフトウェア製品は記憶媒体に格納され、本発明の複数の実施形態において説明された複数の方法の複数の段階の全て又はいくつかを実行するよう、コンピュータデバイス（これはパーソナルコンピュータ、サーバ、又はネットワークデバイスであってよい）に命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、光ディスクなど、プログラムコードを格納し得る任意の媒体を含む。
【０１７４】
上述の複数の説明は、単に本発明の特定の実施例にすぎず、本発明の保護範囲を限定するよう意図されてはいない。本発明において開示される技術的範囲内で当業者により容易に理解される何らかの変形例および置換例は、本発明の保護範囲内に含まれるものとする。従って、本発明の保護範囲は、特許請求の範囲の保護範囲に従うものとする。
【図１】
2018067938.tif 000004
【図２】
2018067938.tif 000005
【図３】
2018067938.tif 000006
【図４】
2018067938.tif 000007
【図５】
2018067938.tif 000008
【図６】
2018067938.tif 000009
【図７】
2018067938.tif 000010
【図８】
2018067938.tif 000011
【図９】
2018067938.tif 000012
【図１０】
2018067938.tif 000013
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ワイヤレスフィディリティＷｉ−Ｆｉホットスポットデバイスに接続するための方法であって、
Ｗｉ−Ｆｉホットスポットデバイスにより、Ｗｉ−Ｆｉ認証情報に従って２次元バーコードを生成する段階と、
前記Ｗｉ−Ｆｉホットスポットデバイスにより、前記Ｗｉ−Ｆｉホットスポットデバイスに対応する管理アプリケーションプログラムに前記２次元バーコードを設定する段階であって、前記管理アプリケーションプログラムは、第１のユーザ機器ＵＥに前記２次元バーコードを提供するのに用いられ、前記第１のＵＥは、前記第１のＵＥの表示画面を用いることによって、第２のＵＥに前記２次元バーコードを提示するのに用いられる、設定する段階と、
を備え、
前記第２のＵＥは、前記２次元バーコードに従って前記Ｗｉ−Ｆｉホットスポットデバイスに接続する
方法。
【請求項２】
前記管理アプリケーションプログラムは、前記第１のＵＥで動作する、
請求項１に記載の方法。
【請求項３】
前記方法は、前記Ｗｉ−Ｆｉホットスポットデバイスにより、前記Ｗｉ−Ｆｉ認証情報を動的に更新する段階をさらに備え、
Ｗｉ−Ｆｉホットスポットデバイスにより、Ｗｉ−Ｆｉ認証情報に従って、２次元バーコードを生成する前記段階は、
前記Ｗｉ−Ｆｉホットスポットデバイスにより、動的に更新されたＷｉ−Ｆｉ認証情報に従って、２次元バーコードを動的に生成する段階を有する、
請求項１又は２に記載の方法。
【請求項４】
ワイヤレスフィディリティＷｉ−Ｆｉホットスポットデバイスに接続するための方法であって、
第１のユーザ機器ＵＥにより、２次元バーコードに含まれるＷｉ−Ｆｉ認証情報を抽出する段階と、
前記第１のＵＥにより、前記Ｗｉ−Ｆｉ認証情報に従って、Ｗｉ−Ｆｉホットスポットデバイスとの認証を完了し、前記Ｗｉ−Ｆｉホットスポットデバイスに接続する段階と、
前記第１のＵＥのＷｉ−Ｆｉ機能がイネーブルでない場合、前記第１のＵＥの前記Ｗｉ−Ｆｉ機能を、前記Ｗｉ−Ｆｉホットスポットデバイスに接続する前に前記第１のＵＥにより自動的にイネーブルにする段階と、
を備える、
方法。
【請求項５】
前記２次元バーコードは、前記Ｗｉ−Ｆｉホットスポットデバイスによって生成される、
請求項４に記載の方法。
【請求項６】
前記２次元バーコードは、前記Ｗｉ−Ｆｉホットスポットデバイスに対応する管理デバイスによって生成される、
請求項４に記載の方法。
【請求項７】
前記第１のＵＥにより、２次元バーコードに含まれるＷｉ−Ｆｉ認証情報を抽出する前記段階は、
前記第１のＵＥにより、前記Ｗｉ−Ｆｉホットスポットデバイスの表示画面に提示される２次元バーコードをスキャンして、前記２次元バーコードに含まれるＷｉ−Ｆｉ認証情報を抽出する段階を有する、
請求項４から６の何れか一項に記載の方法。
【請求項８】
前記第１のＵＥにより、２次元バーコードに含まれるＷｉ−Ｆｉ認証情報を抽出する前記段階は、
前記第１のＵＥにより、第２のＵＥの表示画面に提示される２次元バーコードをスキャンして、前記２次元バーコードに含まれるＷｉ−Ｆｉ認証情報を抽出する段階を有し、
前記２次元バーコードは、前記第２のＵＥにより、前記Ｗｉ−Ｆｉホットスポットデバイスに対応する管理アプリケーションプログラムから取得される、
請求項４から６の何れか一項に記載の方法。
【請求項９】
前記管理アプリケーションプログラムは、前記第２のＵＥで動作する、
請求項８に記載の方法。
【請求項１０】
前記方法はさらに、プロンプト情報を提示する段階を備え、
前記プロンプト情報は、前記Ｗｉ−Ｆｉホットスポットデバイスに接続するよう指示するために用いられ、
前記第１のＵＥにより、前記Ｗｉ−Ｆｉ認証情報に従って、Ｗｉ−Ｆｉホットスポットデバイスとの認証を完了し、前記Ｗｉ−Ｆｉホットスポットデバイスに接続する前記段階は、前記第１のＵＥにより、前記Ｗｉ−Ｆｉ認証情報に従って、前記Ｗｉ−Ｆｉホットスポットデバイスとの認証を完了し、前記プロンプト情報に対応する入力に基づいて前記Ｗｉ−Ｆｉホットスポットデバイスに接続する段階を有する
請求項４から９の何れか一項に記載の方法。
【請求項１１】
前記第１のＵＥにより、前記Ｗｉ−Ｆｉ認証情報に従って、Ｗｉ−Ｆｉホットスポットデバイスとの認証を完了し、前記Ｗｉ−Ｆｉホットスポットデバイスに接続する前記段階は、前記Ｗｉ−Ｆｉ認証情報に従って、前記Ｗｉ−Ｆｉホットスポットデバイスとの認証を完了した後に、前記Ｗｉ−Ｆｉホットスポットデバイスに直接接続する段階を有する
請求項４から９の何れか一項に記載の方法。
【請求項１２】
前記方法はさらに、第３のＵＥが前記Ｗｉ−Ｆｉホットスポットデバイスに接続できるように、前記第１のＵＥにより、前記２次元バーコードを前記第３のＵＥと共有する段階を備える
請求項４から１１の何れか一項に記載の方法。
【請求項１３】
ワイヤレスフィディリティＷｉ−Ｆｉホットスポットデバイスであって、
Ｗｉ−Ｆｉ認証情報に従って、２次元バーコードを生成するよう構成された生成ユニットと、
前記Ｗｉ−Ｆｉホットスポットデバイスに対応する管理アプリケーションプログラムに、前記２次元バーコードを設定するよう構成された設定ユニットであって、前記管理アプリケーションプログラムは、第１のユーザ機器ＵＥに前記２次元バーコードを提供するのに用いられ、前記第１のＵＥは、前記第１のＵＥの表示画面を用いることによって、第２のＵＥに前記２次元バーコードを提示するのに用いられる、設定ユニットと、
を備え、
前記第２のＵＥは、前記２次元バーコードに従って前記Ｗｉ−Ｆｉホットスポットデバイスに接続する
Ｗｉ−Ｆｉホットスポットデバイス。
【請求項１４】
前記管理アプリケーションプログラムは、前記第１のＵＥで動作する、
請求項１３に記載のＷｉ−Ｆｉホットスポットデバイス。
【請求項１５】
更新ユニットをさらに備え、
前記更新ユニットは、前記Ｗｉ−Ｆｉ認証情報を動的に更新するよう構成され、
前記生成ユニットは、動的に更新されたＷｉ−Ｆｉ認証情報に従って、２次元バーコードを動的に生成するよう特に構成される、
請求項１３又は１４に記載のＷｉ−Ｆｉホットスポットデバイス。
【請求項１６】
ユーザ機器ＵＥであって
２次元バーコードに含まれるＷｉ−Ｆｉ認証情報を抽出するよう構成された抽出ユニットと、
前記Ｗｉ−Ｆｉ認証情報に従って、Ｗｉ−Ｆｉホットスポットデバイスとの認証を完了し、前記Ｗｉ−Ｆｉホットスポットデバイスに接続するよう構成された接続ユニットと、
を備え、
前記接続ユニットはさらに、前記ＵＥのＷｉ−Ｆｉ機能がイネーブルでない場合、前記ＵＥの前記Ｗｉ−Ｆｉ機能を、前記Ｗｉ−Ｆｉホットスポットデバイスに接続する前に自動的にイネーブルにするよう構成される
ユーザ機器。
【請求項１７】
前記２次元バーコードは、前記Ｗｉ−Ｆｉホットスポットデバイスによって生成される、又は前記２次元バーコードは、前記Ｗｉ−Ｆｉホットスポットデバイスに対応する管理デバイスによって生成される、
請求項１６に記載のユーザ機器。
【請求項１８】
前記抽出ユニットは、前記Ｗｉ−Ｆｉホットスポットデバイスの表示画面に提示される２次元バーコードをスキャンして、前記２次元バーコードに含まれるＷｉ−Ｆｉ認証情報を抽出するよう特に構成される、
請求項１６又は１７に記載のユーザ機器。
【請求項１９】
前記抽出ユニットは、第２のユーザ機器ＵＥの表示画面に提示される２次元バーコードをスキャンして、前記２次元バーコードに含まれるＷｉ−Ｆｉ認証情報を抽出するよう特に構成され、
前記２次元バーコードは、前記第２のＵＥにより、前記Ｗｉ−Ｆｉホットスポットデバイスに対応する管理アプリケーションプログラムから取得される、
請求項１６又は１７に記載のユーザ機器。
【請求項２０】
前記管理アプリケーションプログラムは、前記第２のＵＥで動作する、
請求項１９に記載のユーザ機器。
【請求項２１】
前記ＵＥはさらに、プロンプト情報を提示するよう構成された提示ユニットを備え、
前記プロンプト情報は、前記Ｗｉ−Ｆｉホットスポットデバイスに接続するよう指示するために用いられ、
前記接続ユニットはさらに、前記Ｗｉ−Ｆｉ認証情報に従って、前記Ｗｉ−Ｆｉホットスポットデバイスとの認証を完了し、前記プロンプト情報に対応する入力に基づいて前記Ｗｉ−Ｆｉホットスポットデバイスに接続するよう構成される
請求項１６から２０の何れか一項に記載のユーザ機器。
【請求項２２】
前記接続ユニットはさらに、前記Ｗｉ−Ｆｉホットスポットデバイスとの認証を完了した後に、前記Ｗｉ−Ｆｉホットスポットデバイスに直接接続するよう構成される
請求項１６から２０の何れか一項に記載のユーザ機器。
【請求項２３】
前記ＵＥはさらに、第３のＵＥがＷｉ−Ｆｉホットスポットデバイスに接続できるように、前記２次元バーコードを前記第３のＵＥと共有するよう構成されたユニットを備える
請求項１６から２０の何れか一項に記載のユーザ機器。
【請求項２４】
命令を格納するよう構成されるメモリと、
前記メモリに接続されたプロセッサと、を備え、
前記プロセッサは、請求項１から３の何れか一項に記載の方法を実行するべく、前記命令を実行するよう構成される
ワイヤレスフィディリティＷｉ−Ｆｉホットスポットデバイス。
【請求項２５】
命令を格納するよう構成されるメモリと、
前記メモリに接続されたプロセッサと、を備え、
前記プロセッサは、請求項４から１２の何れか一項に記載の方法を実行するべく、前記命令を実行するよう構成される
ユーザ機器。
【請求項２６】
記録されたプログラムを有し、
前記プログラムは、請求項１から３の何れか一項に記載の方法をＷｉ−Ｆｉホットスポットデバイスに実行させる、コンピュータ可読記憶媒体。
【請求項２７】
記録されたプログラムを有し、
前記プログラムは、請求項４から１２の何れか一項に記載の方法をＵＥに実行させる、コンピュータ可読記憶媒体。
【手続補正２】
【補正対象書類名】明細書
【補正対象項目名】００５８
【補正方法】変更
【補正の内容】
【００５８】
本発明の複数の実施形態において、ユーザ機器（Ｕｓｅｒ  Ｅｑｕｉｐｍｅｎｔ、ＵＥ）は、モバイル端末（Ｍｏｂｉｌｅ  Ｔｅｒｍｉｎａｌ、ＭＴ）、モバイルユーザ機器などとも称されるが、無線アクセスネットワーク（Ｒａｄｉｏ  Ａｃｃｅｓｓ  Ｎｅｔｗｏｒｋ、ＲＡＮ）を用いることによって、１又は複数のコアネットワークと通信し得る。ユーザ機器は、携帯電話（「セルラー」電話とも称される）やモバイル端末付きコンピュータなどのモバイル端末であってよい。例えば、ユーザ機器は、携帯型、ポケットサイズ型、ハンドヘルド型、コンピュータ内蔵型、又は車載型のモバイル装置であってよい。例えば、ＵＥの製品形態は、携帯電話、タブレットコンピュータ、又は同種のものを含んでよい。あるいは、スマートウォッチ又はスマートグラスなどのスマートウェアラブルデバイスであってもよい。
【手続補正３】
【補正対象書類名】明細書
【補正対象項目名】００５９
【補正方法】変更
【補正の内容】
【００５９】
図１は、本発明の一実施形態による、Ｗｉ−Ｆｉホットスポットデバイスに接続するための方法の概略フローチャートである。図１の方法は、Ｗｉ−Ｆｉホットスポットデバイスによって実行される。Ｗｉ−Ｆｉホットスポットデバイスは、無線ルータ、モバイルＷｉ−Ｆｉ、又は別の製品形態でＷｉ−Ｆｉホットスポットとして用いられ得るデバイスを含んでよい。
【手続補正４】
【補正対象書類名】明細書
【補正対象項目名】００７０
【補正方法】変更
【補正の内容】
【００７０】
例えば、表１は、例示的な２次元バーコード中のテキスト情報の定義説明を示す。表１において、テキスト情報は、「ＷＩＦＩ：Ｔ：ＷＰＡ；Ｓ：ｍｙｎｅｔｗｏｒｋ；Ｐ：ｍｙｐａｓｓ」であると仮定する。
【表１】
2018067938.tif 000014
【手続補正５】
【補正対象書類名】明細書
【補正対象項目名】０１１５
【補正方法】変更
【補正の内容】
【０１１５】
図５は本発明の一実施形態による、Ｗｉ−Ｆｉホットスポットデバイスの概略ブロック図である。図５のＷｉ−Ｆｉホットスポットデバイスの製品形態は、無線ルータ、モバイルＷｉ−Ｆｉ、又は同種のものであってよい。Ｗｉ−Ｆｉホットスポットデバイス５００は、生成ユニット５１０及び提示ユニット５２０を含む。
【手続補正６】
【補正対象書類名】明細書
【補正対象項目名】０１２１
【補正方法】変更
【補正の内容】
【０１２１】
図６は、本発明の別の実施形態による、Ｗｉ−Ｆｉホットスポットデバイスの概略ブロック図である。図６のＷｉ−Ｆｉホットスポットデバイスの製品形態は、無線ルータ、モバイルＷｉ−Ｆｉ、又は同種のものであってよい。Ｗｉ−Ｆｉホットスポットデバイス６００は、生成ユニット６１０及び設定ユニット６２０を含む。
【手続補正７】
【補正対象書類名】明細書
【補正対象項目名】０１４１
【補正方法】変更
【補正の内容】
【０１４１】
図８は、本発明の別の実施形態による、Ｗｉ−Ｆｉホットスポットデバイスの概略ブロック図である。図８のＷｉ−Ｆｉホットスポットデバイス８００の製品形態は、無線ルータ、モバイルＷｉ−Ｆｉ、又は同種のものであってよい。Ｗｉ−Ｆｉホットスポットデバイス８００は、メモリ８１０、プロセッサ８２０、及び表示画面８３０を含む。
【手続補正８】
【補正対象書類名】明細書
【補正対象項目名】０１４８
【補正方法】変更
【補正の内容】
【０１４８】
図９は、本発明の別の実施形態による、Ｗｉ−Ｆｉホットスポットデバイスの概略ブロック図である。図９のＷｉ−Ｆｉホットスポットデバイス９００の製品形態は、無線ルータ、モバイルＷｉ−Ｆｉ、又は同種のものであってよい。Ｗｉ−Ｆｉホットスポットデバイス９００は、メモリ９１０及びプロセッサ９２０を含む。
【外国語明細書】
2018067938000001.pdf